(57)【要約】      （修正有）【課題】瓦本体の上面に積雪した雪を効率的に溶かすことができ、豪雪地においても、雪下ろしという過酷な作業を回避できる融雪瓦屋根構造を提供する。【解決手段】野地板１上に敷設され、上面に複数枚の瓦を載置する複数の瓦載置部３を有した発泡材からなる瓦下地材２と、この瓦下地材の各瓦載置部の棟側に設けられた瓦掛止部６と、前記瓦下地材の各瓦載置部に設けられた温水管挿通溝８と、この温水管挿通溝に挿通され、一端側が温水供給源と連通する温水供給管、他端側が温水帰還管に連通する温水管１３と、前記瓦掛止部に掛止される掛止部を有し、前記瓦下地材の瓦載置部に載置される瓦本体９と、この瓦本体の下面に一体に設けられ、前記温水管に接触もしくは近接する複数の凸部１２と、前記瓦下地材の瓦載置部と前記瓦本体の下面との間にできる隙間に充填される熱伝導性の充填材１４とを具備したことを特徴とする。【選択図】          図１
2004270372.tif 000002
【特許請求の範囲】
【請求項１】
野地板上に敷設され、上面に複数枚の瓦を載置する複数の瓦載置部を有した発泡材からなる瓦下地材と、
この瓦下地材の各瓦載置部の棟側に設けられた瓦掛止部と、
前記瓦下地材の各瓦載置部に設けられた温水管挿通溝と、
この温水管挿通溝に挿通され、一端側が温水供給源と連通する温水供給管、他端側が温水帰還管に連通する温水管と、
前記瓦掛止部に掛止される掛止部を有し、前記瓦下地材の瓦載置部に載置される瓦本体と、
この瓦本体の下面に一体に設けられ、前記温水管に接触もしくは近接する複数の凸部と、
前記瓦下地材の瓦載置部と前記瓦本体の下面との間にできる隙間に充填される熱伝導性の充填材と、
を具備したことを特徴とする融雪瓦屋根構造。
【請求項２】
前記充填材は、瓦本体を瓦下地材に接着固定する接着剤を兼ねていることを特徴とする融雪瓦屋根構造。
【発明の詳細な説明】
【０００１】
【発明の属する技術分野】
この発明は、特に、寒冷地における家屋の屋根に好適する融雪瓦屋根構造に関する。
【０００２】
【従来の技術】
発泡スチロール等の発泡材からなる方形の瓦下地材の表面に複数枚の瓦を載置する瓦載置部を有した瓦下地材は、断熱性に優れていると共に、瓦載置部は瓦の形状に倣った凹部に形成されているため、瓦を安定した状態に載置でき、耐震性及び耐風性に優れていることから普及している。
【０００３】
この瓦下地材は、例えば、１１５７ｍｍ×９５１ｍｍの方形であり、１枚の瓦下地材に例えば１２枚の瓦を載置できるようになっている。そして、瓦屋根施工においては、瓦下地材の裏面を屋根の野地面の勾配面に接合し、接着剤または接着剤とビス止め併用によって固定した後、瓦下地材の表面の瓦載置部に瓦を載せ、接着剤または接着剤とビス止め併用によって固定し、瓦の上下部及び左右部を互いに重ね合わせることにより、瓦屋根を葺いている。
【０００４】
従って、瓦下地材を用いた瓦屋根構造は、断熱効果に優れているため、夏季において室内の冷房効率が向上し、冬季には暖房効率が向上し、省エネの面で優れている。
【０００５】
しかしながら、豪雪地においては、降雪によって瓦屋根上に大量に積雪した場合、積雪重量に家屋が耐えきれない場合もあり、豪雪地においては、屋根の雪下ろしが欠くことができない。
【０００６】
そこで、瓦屋根の瓦下地材と瓦本体との間に温水管を配管し、この温水管の一端側をボイラー等の温水供給源に接続し、温水管に温水を流すことにより、瓦屋根に積雪された雪を融雪して軒側に流すようにした融雪瓦屋根構造が知られている（例えば、特許文献１参照。）。
【０００７】
【特許文献１】
実公平３−５２３９０号公報（実用新案登録請求の範囲及び第１図）
【０００８】
【発明が解決しようとする課題】
しかしながら、特許文献１は、温水管の表面と瓦本体の下面との接触面積が少ないために、温水管の表面温度が瓦本体に伝達し難く、瓦本体が十分に加温されない。従って、瓦本体の上面に積雪された雪のうち、瓦本体の上面に接触している雪は熔けても、積雪の上層部まで熔けずにトンネル状態となって上層部は積雪状態で残ってしまうという問題がある。
【０００９】
この発明は、前記事情に着目してなされたもので、その目的とするところは、瓦下地材の上面に配管した温水管の表面温度を瓦本体に効率的に伝達させ、瓦本体の上面に積雪した雪を効率的に溶かすことができる融雪瓦屋根構造を提供することにある。
【００１０】
【課題を解決するための手段】
この発明は、前述した目的を達成するために、請求項１は、に敷設され、上面に複数枚の瓦を載置する複数の瓦載置部を有した発泡材からなる瓦下地材と、この瓦下地材の各瓦載置部の棟側に設けられた瓦掛止部と、前記瓦下地材の各瓦載置部に設けられた温水管挿通溝と、この温水管挿通溝に挿通され、一端側が温水供給源と連通する温水供給管、他端側が温水帰還管に連通する温水管と、前記瓦掛止部に掛止される掛止部を有し、前記瓦下地材の瓦載置部に載置される瓦本体と、この瓦本体の下面に一体に設けられ、前記温水管に接触もしくは近接する複数の凸部と、前記瓦下地材の瓦載置部と前記瓦本体の下面との間にできる隙間に充填される熱伝導性の充填材とを具備したことを特徴とする融雪瓦屋根構造にある。
【００１１】
請求項２は、請求項１の前記充填材は、瓦本体を瓦下地材に接着固定する接着剤を兼ねていることを特徴とする。
【００１２】
前記構成によれば、瓦下地材の瓦載置部に載置される瓦本体の下面に一体に設けられた凸部が温水管に接触もしくは近接しており、さらに、瓦下地材の瓦載置部と瓦本体の下面との間にできる隙間に熱伝導性の充填材が充填されているため、温水管の表面温度を充填材を介して瓦本体に伝達させることができる。従って、瓦本体の上面に積雪した雪を効率的に溶かすことができる。
【００１３】
さらに、前記充填材を、瓦本体を瓦下地材に接着固定する接着剤と兼ねることにより、瓦本体を瓦下地材に強固に固定することができる。
【００１４】
【発明の実施の形態】
以下、この発明の実施の形態を図面に基づいて説明する。
【００１５】
図１〜図４は第１の実施形態を示し、図１は瓦屋根の縦断側面図、図２は図１のＡ−Ａ線に沿う断面図、図３は瓦本体の裏面側を示す斜視図、図４は図１のＢ部を拡大した縦断側面図である。
【００１６】
図１及び図２に示すように、家屋の屋根の野地板１の上面には下地材２が敷設されている。この瓦下地材２は、断熱性及び防水性を有する発泡スチロールなどの樹脂発泡材からなり、例えば、１１５７ｍｍ×９５１ｍｍの方形である。瓦下地材２の上面には横方向に３枚、縦方向に４枚で、１枚の瓦下地材２に１２枚の瓦を載置できるように円弧状凹面からなる瓦載置部３が設けられている。瓦下地材２の下面４は野地板１に接着剤５によって固定されている。
【００１７】
瓦下地材２の各瓦載置部３の上縁部（棟側）には横方向に延長する凹溝からなる瓦掛止部６が設けられ、縦方向（棟軒方向）には瓦下地材２に侵入した雨水を排水するための排水溝７が設けられている。さらに、瓦下地材２の上面における各瓦載置部３には横方向に複数本、本実施形態においては２本の温水管挿通溝８が設けられている。この温水管挿通溝８は後述する温水管の外径より若干幅広で、排水溝７と略同一深さに形成されている。
【００１８】
図３は和瓦の瓦本体９を示し、瓦本体９の下面は円弧状凸面１０に形成され、その上縁部には複数個の瓦掛止突起１１が一体に突設されている。さらに、円弧状凸面１０には複数個、本実施形態においては４個の平面視で矩形状の凸部１２が一体に設けられている。これら凸部１２は円弧状凸面１０に対して下面が平坦面になるように側面視で略台形状に形成されている。そして、瓦本体９の上下方向（棟軒方向）の凸部１２の間隔は瓦載置部３に形成された温水管挿通溝８の上下方向の間隔と一致している。
【００１９】
さらに、瓦下地材２の瓦載置部３に形成された温水管挿通溝８には温水管１３が挿通されている。この温水管１３は合成樹脂または軽金属からなり、一端側は温水ボイラー等の温水供給源に連通する温水供給管（図示しない）に連通し、他端側は温水帰還管（図示しない）に連通している。そして、温水供給源から供給された温水が温水管１３の内部を循環するようになっている。なお、温水管１３の内部を循環する流体は地熱利用あるいは廃熱利用でもよい。
【００２０】
前述のように構成された瓦下地材２の各瓦載置部３には瓦本体９の瓦掛止突起１１が瓦掛止部６に掛止された状態で載置されている。瓦載置部３は上面が円弧状凹面に形成され、瓦本体９の下面は円弧状凸面１０に形成され、凹面と凸面の嵌合によって瓦本体９が安定した状態に載置されている。また、瓦本体９の凸部１２は瓦載置部３に形成された温水管挿通溝８内の温水管１３の表面に接触または近接している。
【００２１】
さらに、各瓦載置部３の上面及び温水管１３が挿通された温水管挿通溝８と瓦本体９の下面との間の隙間には熱伝導性の充填材１４が充填されている。この充填材１４は、例えば、アクリル系接着材にアルミニウム、銅、鉄等の金属粉、砂あるいは廃棄物等を混入したものであって、流動性を有し、隙間の隅々まで侵入して隙間を埋めることができ、しかも、常温で硬化することから瓦本体９を瓦下地材２に固定する接着剤を兼ねている。
【００２２】
従って、温水ボイラー等の温水供給源からポンプ等によって温水管１３に温水を循環すると、温水によって温水管１３が加温され、この温水管１３と接触している瓦本体９の凸部１２及び充填材１４を介して熱伝導して瓦本体９の上面が加温される。
【００２３】
瓦本体９の上面が加温されると、降雪時には瓦本体９の上面に積雪し難く、また、積雪後に温水管１３に温水を流通して瓦本体９を加温すると、瓦本体９の上面に積雪した雪を効率的に溶かすことができる。また、各瓦載置部３の上面と瓦本体９の下面との間の隙間が熱伝導性の充填材１４によって充填されているため、瓦本体９の略全体を均一に加温することができる。従って、瓦本体９の上面に積雪された雪のうち、瓦本体９の上面に接触している雪は熔けても、積雪の上層部まで熔けずにトンネル状態となって上層部は積雪状態で残ってしまうという問題を回避できる。
【００２４】
ここで、発明者の実験例について説明すると、温水ボイラーから供給される温水の温度が８０℃であるとすると、温水管１３に接触もしくは近接している瓦本体９の表面温度は５〜１０℃となる。従って、瓦本体９の上面に大量の積雪があって、これが凍結してもその下層から徐々に融雪し、融雪水は屋根樋を通じて流下される。従って、豪雪地においても、雪下ろしという過酷な作業を回避できる。
【００２５】
なお、前記実施形態においては、和瓦について説明したが、Ｓ瓦、スパニッシュ瓦、スレート瓦等あらゆる瓦に適用できる。
【００２６】
【発明の効果】
以上説明したように、この発明によれば、瓦下地材の瓦載置部に載置される瓦本体の下面に一体に設けられた凸部が温水管に接触もしくは近接しており、さらに、瓦下地材の瓦載置部と瓦本体の下面との間にできる隙間に熱伝導性の充填材が充填されているため、温水管の表面温度を充填材を介して瓦本体に伝達させることができる。従って、瓦本体の上面に積雪した雪を効率的に溶かすことができる。豪雪地においても、雪下ろしという過酷な作業を回避できる。
【００２７】
さらに、前記充填材を、瓦本体を瓦下地材に接着固定する接着剤と兼ねることにより、瓦本体を瓦下地材に強固に固定することができる。
【図面の簡単な説明】
【図１】この発明の第１の実施形態を示す瓦屋根の縦断側面図。
【図２】同実施形態を示し、図１のＡ−Ａ線に沿う断面図。
【図３】同実施形態を示し、瓦本体の裏面側を示す斜視図。
【図４】同実施形態を示し、図１のＢ部を拡大した縦断側面図。
【符号の説明】
１…野地板、２…瓦下地材、３…瓦載置部、６…瓦掛止部、８…温水管挿通溝、９…瓦本体、１２…凸部、１３…温水管、１４…充填材
【図１】
2004270372.tif 000003
【図２】
2004270372.tif 000004
【図３】
2004270372.tif 000005
【図４】
2004270372.tif 000006